(57)【要約】【課題】媒体の幅方向で互いに隣り合う各突出部の間隔を適切に設定することにより、媒体支持装置に支持される媒体の平面度の低下を抑制することができる印刷装置を提供する。【解決手段】印刷装置の制御装置は、印刷対象となる用紙の種類を取得し（ステップＳ１１）、取得した用紙の種類に基づき、用紙の幅方向において互いに隣り合う各突出部の間隔である突出部ピッチＰＨＩを決定する（ステップＳ１３）。【選択図】図５
2016034730.tif 000002
【特許請求の範囲】
【請求項１】
媒体を支持する媒体支持装置と、同媒体支持装置に支持されている媒体に液体を噴射す
る印刷ヘッドと、を備え、
前記媒体支持装置には媒体を支持する複数の突出部が設けられ、同媒体の幅方向におい
て互いに隣り合う前記各突出部の間隔を調整可能に構成されている印刷装置において、
印刷対象となる媒体の特性を取得する特性取得部と、
前記特性取得部によって取得された媒体の特性に基づき、前記幅方向において互いに隣
り合う前記各突出部の間隔である突出部ピッチを決定する間隔決定部と、を備える
ことを特徴とする印刷装置。
【請求項２】
前記印刷ヘッドによる液体の噴射態様は、媒体に印刷する画像に関する印刷データによ
って決定されるようになっており、
入力されている前記印刷データに基づき、媒体への液体の付着量を予測する付着量予測
部を備え、
前記間隔決定部によって決定される前記突出部ピッチは、前記付着量予測部によって予
測される媒体への液体の付着量が多いほど広い
請求項１に記載の印刷装置。
【請求項３】
前記付着量予測部は、前記印刷データに基づき、液体の付着量の多い媒体の領域と、液
体の付着量の少ない媒体の領域とを把握し、
前記間隔決定部は、前記突出部ピッチを、前記媒体の領域毎に決定するようになってお
り、
液体の付着量の多い媒体の領域に対応する前記突出部ピッチは、液体の付着量の少ない
媒体の領域に対応する前記突出部ピッチよりも広い
請求項２に記載の印刷装置。
【請求項４】
前記間隔決定部によって決定される前記突出部ピッチは、媒体の前記幅方向における外
側ほど狭い
請求項１に記載の印刷装置。
【請求項５】
前記各突出部のうち少なくとも一部の突出部を前記幅方向に移動させるアクチュエータ
ーと、
前記間隔決定部によって決定された前記突出部ピッチに基づいて前記アクチュエーター
を駆動させる制御部と、を備える
請求項１〜請求項４のうち何れか一項に記載の印刷装置。
【請求項６】
前記間隔決定部によって決定された前記突出部ピッチを報知させる報知処理を実施す
る報知部を備える
請求項１〜請求項４のうち何れか一項に記載の印刷装置。
【発明の詳細な説明】
【技術分野】
【０００１】
本発明は、インクなどの液体を媒体に付着させることにより同媒体に印刷を施す印刷装
置に関する。
【背景技術】
【０００２】
特許文献１には、用紙（媒体の一例）を支持する用紙支持装置（媒体支持装置）と、用
紙支持装置に支持されている用紙にインク（液体）を噴射する印刷ヘッドとを備える印刷
装置の一例が記載されている。こうした印刷装置の用紙支持装置は、用紙を支持する複数
の突出部を備えている。
【０００３】
そして、これら突出部のうち少なくとも一部は、用紙の幅方向にスライド移動可能な可
動突出部となっている。この可動突出部の上記幅方向における位置は、印刷対象となる用
紙の上記幅方向における端部である用紙の側端の位置に応じて決定される。そのため、い
ずれのサイズの用紙への印刷時であっても、同用紙の側端を可動突出部によって支持させ
ることが可能となる。そして、用紙の側端を可動突出部によって支持させることにより、
用紙支持装置によって支持される用紙の平面度が高められ、用紙への印刷品質を高めるこ
とができる。
【先行技術文献】
【特許文献】
【０００４】
【特許文献１】特開２０１２−２４５６３１号公報
【発明の概要】
【発明が解決しようとする課題】
【０００５】
例えば、ＣＡＤ（Computer Aided Design）によって作成された図面の印刷時には、厚
みが比較的薄く、コックリングが生じにくい用紙が採用されやすい。コックリングとは、
図７に示すように、インクの付着によって用紙が伸縮して波打つ現象のことである。そし
て、コックリングによる用紙の波打ち量Ｗが小さいほど、コックリングが生じにくいとい
うことができる。
【０００６】
そして、このようにコックリングが生じにくい用紙の平面度を高めるためには、上記幅
方向において互いに隣り合う各突出部の間隔を比較的狭くすることが好ましい。しかしな
がら、厚みが比較的厚く、コックリングの生じやすい用紙では、上記幅方向において互い
に隣り合う各突出部の間隔を狭くすると、コックリングの発生によって却って平面度が低
くなるおそれがある。
【０００７】
本発明の目的は、媒体の幅方向で互いに隣り合う各突出部の間隔を適切に設定すること
により、媒体支持装置に支持される媒体の平面度の低下を抑制することができる印刷装置
を提供することにある。
【課題を解決するための手段】
【０００８】
上記目的を達成するための印刷装置は、媒体を支持する媒体支持装置と、同媒体支持装
置に支持されている媒体に液体を噴射する印刷ヘッドと、を備え、前記媒体支持装置には
媒体を支持する複数の突出部が設けられ、同媒体の幅方向において互いに隣り合う前記各
突出部の間隔を調整可能に構成されている装置を前提としている。この印刷装置は、印刷
対象となる媒体の特性を取得する特性取得部と、前記特性取得部によって取得された媒体
の特性に基づき、前記幅方向において互いに隣り合う前記各突出部の間隔である突出部ピ
ッチを決定する間隔決定部と、を備える。
【０００９】
上記構成によれば、印刷対象となる媒体のコックリングの発生しやすさに応じて、上記
突出部ピッチを決定することができる。例えば、コックリングが発生しにくいという特性
を有する媒体への印刷時には、上記突出部ピッチが狭くされる。そして、このように決定
した突出部ピッチに基づき実際の各突出部の間隔を狭くすることにより、当該媒体の平面
度を高くすることができる。一方、コックリングが発生しやすいという特性を有する媒体
への印刷時には、上記突出部ピッチが広くされる。そして、このように決定した突出部ピ
ッチに基づき実際の各突出部の間隔を広くすることにより、当該媒体の平面度の低下を抑
制することができる。したがって、媒体の幅方向で互いに隣り合う各突出部の間隔を適切
に設定することにより、媒体支持装置に支持される媒体の平面度の低下を抑制することが
できる。
【００１０】
なお、前記印刷ヘッドによる液体の噴射態様は、媒体に印刷する画像に関する印刷デー
タによって決定されるようになっていることがある。この場合、上記印刷装置は、入力さ
れている前記印刷データに基づき、媒体への液体の付着量を予測する付着量予測部を備え
、前記間隔決定部によって決定される前記突出部ピッチは、前記付着量予測部によって予
測される媒体への液体の付着量が多いほど広い。
【００１１】
媒体への液体の付着によって同媒体にコックリングが発生する場合、その波打ち量は媒
体への液体の付着量が多いほど大きくなりやすい。そして、コックリングに起因する媒体
の波打ち量が多いほど、上記幅方向で互いに隣り合う各突出部の間隔を広くすることによ
り、媒体の平面度の低下を抑制しやすくなる。この点、上記構成では、印刷データに基づ
いて媒体への液体の付着量を予測し、その予測される液体の付着量が多いほど、上記突出
部ピッチは広くされる。そして、こうして決定された突出部ピッチに基づき実際の各突出
部の間隔を調整することにより、コックリングに起因する媒体の波打ち量が多いと予測さ
れるときほど、実際の各突出部の間隔が広くなる。一方、コックリングに起因する媒体の
波打ち量が少ないと予測されるときほど、実際の各突出部の間隔が狭くなる。このように
予測される媒体の波打ち量に基づき実際の各突出部の間隔を調整することにより、媒体へ
の液体の付着量の多さに拘わらず、媒体支持装置に支持される媒体の平面度の低下を抑制
することが可能となる。
【００１２】
上記印刷装置において、前記付着量予測部は、前記印刷データに基づき、液体の付着量
の多い媒体の領域と、液体の付着量の少ない媒体の領域とを把握し、前記間隔決定部は、
前記突出部ピッチを、前記媒体の領域毎に決定するようになっており、液体の付着量の多
い媒体の領域に対応する前記突出部ピッチは、液体の付着量の少ない媒体の領域に対応す
る前記突出部ピッチよりも広い。
【００１３】
上記構成によれば、液体の付着量が多いと予測される媒体の領域ではコックリングに起
因する波打ち量が大きくなりやすいため、当該領域に対応する突出部ピッチが広くされる
。一方、液体の付着量が少ないと予測される媒体の領域ではコックリングに起因する波打
ち量が大きくなりにくいため、当該領域に対応する突出部ピッチが狭くされる。そして、
こうして決定された突出部ピッチに基づき実際の各突出部の間隔を調整することにより、
コックリングに起因する媒体の波打ち量が多いと予測される媒体の領域を支持する各突出
部の実際の間隔が広くなる。一方、コックリングに起因する媒体の波打ち量が少ないと予
測される媒体の領域を支持する各突出部の実際の間隔が狭くなる。このように媒体の領域
毎に各突出部の実際の間隔を調整することにより、媒体支持装置に支持される媒体の平面
度の低下を抑制することが可能となる。
【００１４】
上記印刷装置において、前記間隔決定部によって決定される前記突出部ピッチは、媒体
の前記幅方向における外側ほど狭い。
媒体の上記幅方向における中央付近では、コックリングに起因する波打ち量が大きくな
りやすい一方、媒体の上記幅方向における端部近傍では、コックリングに起因する波打ち
量が小さくなりやすい。そこで、上記構成では、媒体の上記幅方向における中央付近では
コックリングに起因する波打ち量が大きくなりやすいため、当該領域に対応する突出部ピ
ッチが広くされる。一方、媒体の上記幅方向における端部近傍ではコックリングに起因す
る波打ち量が大きくなりにくいため、当該領域に対応する突出部ピッチが狭くされる。そ
して、こうして決定された突出部ピッチに基づき実際の各突出部の間隔を調整することに
より、コックリングに起因する媒体の波打ち量が多いと予測される媒体の領域を支持する
各突出部の実際の間隔が広くなる。一方、コックリングに起因する媒体の波打ち量が少な
いと予測される媒体を支持する各突出部の実際の間隔が狭くなる。このように媒体の領域
毎に各突出部の実際の間隔を調整することにより、媒体支持装置に支持される媒体の平面
度の低下を抑制することが可能となる。
【００１５】
上記印刷装置は、前記各突出部のうち少なくとも一部の突出部を前記幅方向に移動させ
るアクチュエーターと、前記間隔決定部によって決定された前記突出部ピッチに基づいて
前記アクチュエーターを駆動させる制御部と、を備える。この構成によれば、上記幅方向
で互いに隣り合う各突出部の間隔を自動で設定することができる。
【００１６】
上記印刷装置は、前記間隔決定部によって決定された前記突出部ピッチを報知させる報
知処理を実施する報知部を備える。この構成によれば、決定した突出部ピッチをユーザー
に報知することにより、ユーザーは、上記幅方向で互いに隣り合う各突出部の間隔を適切
に調整することができる。
【図面の簡単な説明】
【００１７】
【図１】印刷装置の一実施形態の概略を示す模式図。
【図２】（ａ）〜（ｃ）は、用紙支持装置の一部を示す模式図であって、走査方向で互いに隣り合う各突出部の間隔が変更される様子を示す模式図。
【図３】用紙の種類とコックリング周期との関係の一例を示すテーブル。
【図４】（ａ），（ｂ）は、用紙にコックリングが発生している様子を示す模式図。
【図５】用紙への印刷の処理手順を説明するフローチャート。
【図６】別の実施形態の印刷装置において、（ａ），（ｂ）は、用紙支持装置の一部を示す模式図であって、走査方向で互いに隣り合う各突出部の間隔が変更される様子を示す模式図。
【図７】従来の印刷装置において、インクの付着によって用紙にコックリングが発生している様子を示す模式図。
【発明を実施するための形態】
【００１８】
以下、印刷装置を、シリアル方式のインクジェットプリンターに具体化した一実施形態
を図面に従って説明する。
図１に示すように、印刷装置１１は、媒体の一例である用紙Ｐを所定の搬送方向Ｘに搬
送する搬送ユニット２０と、用紙の搬送経路の途中に配置されて用紙Ｐを支持する媒体支
持装置の一例である用紙支持装置３０と、用紙支持装置３０に支持されている用紙Ｐに対
して印刷を施す印刷ユニット５０とを備えている。搬送ユニット２０には、用紙の搬送経
路に沿って配置される複数のローラー対２１が設けられている。これら各ローラー対２１
は、制御装置７０によって制御される搬送モーター（以下、「ＰＦモーター」ともいう。
）２２からの駆動力に基づいて回転されることにより、用紙Ｐを搬送する。
【００１９】
印刷ユニット５０は、用紙支持装置３０に支持されている用紙Ｐの幅方向でもある走査
方向Ｙに延びるガイド部材５１と、走査方向Ｙに移動可能な状態でガイド部材５１に支持
されているキャリッジ５２とを備えている。このキャリッジ５２には、液体の一例である
インクを噴射するノズルを有する印刷ヘッド５３が設けられている。キャリッジ５２は、
制御装置７０によって制御されるキャリッジモーター（以下、「ＣＲモーター」ともいう
。）５４からの駆動力が伝達されることにより走査方向Ｙに移動する。そして、このよう
にキャリッジ５２を走査方向Ｙに移動させつつ印刷ヘッド５３からインクを噴射させるこ
とにより、用紙支持装置３０に支持されている用紙Ｐに対して印刷が施される。
【００２０】
なお、本明細書でいう「インク」とは、カラーインク（例えば、マゼンタインク）や黒
インクなどの有色系のインクに加え、クリアインクなどの無色系のインクも含んでいる。
また、搬送方向Ｘ及び走査方向Ｙの双方に直交する方向であって、且つ用紙支持装置３０
に支持されている用紙Ｐの印刷面（図１では上面）と直交する方向のことを、「規定方向
Ｚ」というものとする。この規定方向Ｚは、印刷装置１１を水平面に設置したときには鉛
直方向とほぼ一致する。
【００２１】
用紙支持装置３０は、四角箱状をなす本体ケース３１を備えている。本体ケース３１は
、搬送途中の用紙Ｐに対向する面である支持面３２と、規定方向Ｚにおいて支持面３２の
反対側に位置する面である反対面３３とを有している。支持面３２には、複数の突出部３
６が設けられており、これら各突出部３６によって用紙Ｐが支持される。
【００２２】
本体ケース３１には、支持面３２及び反対面３３の双方に開口する吸引通路３４が設け
られている。また、本体ケース３１の反対面３３側には、吸引通路３４内を吸引する吸引
ファン３５が設けられている。そのため、突出部３６によって支持されている用紙Ｐが、
吸引ファン３５の駆動によって支持面３２側に吸引される。
【００２３】
図２（ａ），（ｂ），（ｃ）に示すように、各突出部３６は、走査方向Ｙに沿って配置
されているとともに、走査方向Ｙにスライド移動可能である。これら各突出部３６には、
制御装置７０によって制御されるアクチュエーター６０からの駆動力が個別に伝達される
。そして、駆動力が伝達されている突出部３６が、走査方向Ｙにスライド移動する。
【００２４】
例えば、図２（ａ），（ｂ）に示すように、用紙支持装置３０では、走査方向Ｙにおい
て互いに隣り合う各突出部３６の間隔ＰＨを、一律的に、広くしたり、狭くしたりするこ
とができる。また、用紙支持装置３０では、間隔ＰＨを独立で調整することもできる。例
えば、図２（ｃ）に示すように、走査方向Ｙにおける一方側（図中左側）に位置する各突
出部３６の間隔ＰＨ１は、走査方向Ｙにおける他方側（図中右側）に位置する各突出部３
６の間隔ＰＨ２よりも広くなっている。また、走査方向Ｙにおける一方側から他方に向け
て、各突出部３６の間隔ＰＨを次第に広くしたり、狭くしたりすることも可能である。
【００２５】
ところで、用紙Ｐにインクを付着させると、用紙Ｐが伸縮して波打つ、いわゆるコック
リングが発生することがある。こうしたコックリングに起因する用紙Ｐが平坦な状態での
垂線方向の変動幅のことを、「波打ち量Ｗ」ともいう。また、こうしたコックリングに起
因する波打ちの周期であるコックリング周期Ｔは、用紙の種類によってほぼ決まる。
【００２６】
ここでいう「用紙の種類」とは、「用紙の特性」とも言い換えることができ、剛性の大
きさ、インク（水分）の吸収率、ふやけにくさ、及び、用紙の表層を構成するコート層に
おけるインクの吸収率などのことを示す。そして、用紙のサイズが同一であっても、用紙
の種類（特性）が相違すると、印刷時に用紙にコックリングが発生しても、そのコックリ
ング周期Ｔが相違する。
【００２７】
そのため、例えば、制御装置７０のメモリーには、図３に示すテーブルが予め記憶され
ている。図３に示すように、このテーブルでは、用紙の種類毎にコックリング周期Ｔが対
応づけられている。例えば、用紙の種類が第１の用紙であるときには、コックリング周期
Ｔが第１のコックリング周期Ｔ１となり、用紙の種類が第２の用紙であるときには、コッ
クリング周期Ｔが第２のコックリング周期Ｔ２となる。このように用紙の種類毎に個別対
応する各コックリング周期Ｔ１，Ｔ２は、実験やシミュレーションなどによって予め計測
された値又は同値に応じた値である。
【００２８】
そして、本実施形態の印刷装置１１では、用紙への印刷に先立って、用紙の種類を特定
し、用紙の種類に応じたコックリング周期Ｔが図３に示すテーブルを参照して取得される
。そして、走査方向Ｙにおいて互いに隣り合う各突出部３６の間隔の指令値である突出部
ピッチＰＨＩが、取得したコックリング周期Ｔに応じた大きさとされる。このように突出
部ピッチＰＨＩが決定されると、走査方向Ｙにおいて互いに隣り合う各突出部３６の間隔
ＰＨが、突出部ピッチＰＨＩに近づけられる。
【００２９】
なお、用紙の中には、インクが付着されてもコックリングがほとんど発生しない用紙も
ある。このような用紙への印刷時にあっては、突出部ピッチＰＨＩを極力狭くすることが
好ましい。これは、用紙において各突出部３６の間の部分は、自重や吸引ファン３５から
の吸引力によって、支持面３２側に撓みやすいからである。すなわち、コックリングがほ
とんど発生しない用紙への印刷時にあっては、各突出部３６の間隔ＰＨが狭いほど用紙が
撓みにくくなり、ひいては用紙の平面度が高められる。
【００３０】
一方、インクの付着によりコックリングが発生しやすい用紙への印刷時にあっては、コ
ックリングの発生しにくい用紙への印刷時と比較して、突出部ピッチＰＨＩを広くするこ
とが好ましい。そして、こうした突出部ピッチＰＨＩに応じ、実際の各突出部３６の間隔
ＰＨを広くすることにより、コックリングに起因する用紙の平面度の低下が抑制される。
【００３１】
こうした各突出部３６の間隔ＰＨの調整が終了されると、用紙Ｐの搬送が開始される。
すると、用紙支持装置３０では、上記のように間隔ＰＨが調整された各突出部３６によっ
て用紙Ｐが支持される。そして、こうした用紙Ｐに対して印刷ヘッド５３からインクが噴
射され、当該用紙Ｐに印刷が施される。
【００３２】
ここで、用紙Ｐの全般にわたってコックリングが発生する場合、図４（ａ）に示すよう
に、用紙Ｐの幅方向における中央の領域では、コックリングに起因する用紙Ｐの伸長を逃
がしにくいため、波打ち量Ｗが大きくなりやすい。その一方で、用紙Ｐの幅方向における
外側の領域では、コックリングに起因する用紙Ｐの伸長を外側に逃がすやすいため、波打
ち量Ｗが小さくなりやすい。ただし、このように用紙Ｐの幅方向位置に応じて波打ち量Ｗ
が変わったとしても、一枚の用紙Ｐでのコックリング周期Ｔは、用紙Ｐの幅方向位置によ
らず、ほぼ一定となる。
【００３３】
また、印刷時における用紙Ｐへのインクの付着態様は、用紙Ｐへの印刷に際して制御装
置７０に入力される印刷データに応じた態様となる。すなわち、印刷データによっては、
一枚の用紙に、インクの付着量の多い領域Ｐ１と、インクの付着量の少ない領域Ｐ２とが
形成されることがある。図４（ｂ）に示すように、インクの付着量の多い用紙の領域Ｐ１
では、コックリングに起因する波打ち量Ｗが大きくなりやすい一方、インクの付着量の少
ない用紙の領域Ｐ２では、コックリングに起因する波打ち量Ｗが小さくなりやすい。ただ
し、用紙の領域Ｐ１でのコックリング周期Ｔ１は、用紙の領域Ｐ２でのコックリング周期
Ｔ２とほぼ等しい。
【００３４】
なお、コックリングに起因する用紙Ｐの平面度の低下を抑制するためには、コックリン
グ周期Ｔが同等である場合、コックリングに起因する用紙の波打ち量Ｗが多いほど、走査
方向Ｙにおいて互いに隣り合う各突出部３６の間隔ＰＨを広くすることが好ましい。その
ため、一枚の用紙で、波打ち量Ｗが異なる複数の領域が存在する場合、波打ち量Ｗの多い
用紙の領域に対応する突出部ピッチＰＨＩを広くし、波打ち量Ｗの少ない用紙の領域に対
応する突出部ピッチＰＨＩを狭くすることが好ましい。
【００３５】
そこで、本実施形態では、上記のように図３に示すテーブルを参照して決定した突出部
ピッチＰＨＩが、波打ち量Ｗに応じて補正される。例えば、用紙の波打ち量Ｗが少ないと
予測される場合における突出部ピッチＰＨＩ、及び、波打ち量の少ない用紙の領域に対応
する突出部ピッチＰＨＩは、上記テーブルを参照して決定した突出部ピッチのままとする
。一方、用紙の波打ち量Ｗが多いと予測される場合における突出部ピッチＰＨＩ、及び、
波打ち量の多い用紙の領域に対応する突出部ピッチＰＨＩは、上記テーブルを参照して決
定した突出部ピッチよりも広がるように補正される。
【００３６】
次に、図５を参照し、用紙Ｐへの印刷時における制御装置７０の処理手順について説明
する。
図５に示すように、ステップＳ１１では、印刷対象となる用紙Ｐの種類が取得される。
用紙Ｐの種類の取得方法としては、印刷に際して、印刷対象となる用紙Ｐの種類に関する
情報（用紙の製造メーカー、型番など）をユーザーに入力させ、同情報に基づき用紙Ｐの
種類を制御装置７０に取得させる方法がある。したがって、本実施形態では、制御装置７
０により、印刷対象となる用紙Ｐの特性を取得する「特性取得部」の一例が構成される。
【００３７】
次のステップＳ１２では、印刷データが解析される。その結果、用紙Ｐへのインクの付
着量が比較的多くなるか否か、又は、一枚の用紙Ｐに、インクの付着量の多い領域Ｐ１と
インクの付着量の少ない領域Ｐ２とが存在するか否かが予測される。したがって、本実施
形態では、制御装置７０により、入力されている印刷データに基づき、用紙Ｐへのインク
の付着量を予測する「付着量予測部」の一例が構成される。
【００３８】
そして、この解析が終了すると、ステップＳ１３に進み、上記突出部ピッチＰＨＩが決
定される。すなわち、制御装置７０は、ステップＳ１１で取得した用紙Ｐの種類に応じた
コックリング周期Ｔを、上記テーブルを参照して取得し、この取得したコックリング周期
Ｔに応じ、突出部ピッチＰＨＩを決定する。続いて、制御装置７０は、ステップＳ１２で
の印刷データの解析結果に基づき、すなわち予測されるインクの付着量に応じて、突出部
ピッチＰＨＩを補正する。したがって、本実施形態では、制御装置７０により、取得され
た用紙Ｐの特性に基づき、走査方向Ｙにおいて互いに隣り合う各突出部３６の間隔である
突出部ピッチＰＨＩを決定する「間隔決定部」の一例が構成される。
【００３９】
突出部ピッチＰＨＩが決定されると、ステップＳ１４に進み、決定した突出部ピッチＰ
ＨＩに各突出部３６の実際の間隔ＰＨを近づけるようにアクチュエーター６０が駆動され
る。したがって、本実施形態では、制御装置７０により、決定された突出部ピッチＰＨＩ
に基づいてアクチュエーター６０を駆動させる「制御部」の一例が構成される。
【００４０】
そして、間隔ＰＨの調整が完了されると、ステップＳ１５に進み、印刷処理が開始され
る。すると、用紙カセットからの用紙Ｐの搬送が開始され、当該用紙Ｐに印刷が施される
。その後、用紙Ｐへの印刷が完了すると、本処理が終了される。
【００４１】
次に、本実施形態の印刷装置１１の作用について説明する。
一枚の用紙Ｐへのインクの付着量が一様であることが印刷データから予測される場合、
用紙Ｐの幅方向における中央の領域に対応する突出部ピッチＰＨＩが、用紙Ｐの幅方向に
おける外側の領域に対応する突出部ピッチＰＨＩよりも広くされる。これは、用紙Ｐの幅
方向における中央の領域では波打ち量Ｗが多くなりやすく、用紙Ｐの幅方向における外側
の領域では波打ち量Ｗが少なくなりやすいためである（図４（ａ）参照）。
【００４２】
そして、このように決定された突出部ピッチＰＨＩに応じて、各突出部３６が走査方向
Ｙにスライド移動される。その結果、用紙Ｐの幅方向における中央の領域を支持する各突
出部３６の間隔ＰＨが、用紙Ｐの幅方向における外側の領域を支持する各突出部３６の間
隔ＰＨよりも広くなる。すると、各突出部３６の間隔ＰＨが、用紙Ｐの幅方向における外
側の領域に対応する突出部ピッチＰＨＩで一定である場合と比較して、印刷ヘッド５３か
ら用紙Ｐへのインクの噴射中における当該用紙Ｐの平面度の低下が抑制される。
【００４３】
なお、本明細書でいう「用紙Ｐの平面度」とは、各突出部３６の先端を含む仮想印刷面
を基準とした用紙の規定方向Ｚにおける変動量のことである。すなわち、規定方向Ｚにお
いて、仮想印刷面からの乖離量が少ないほど、用紙Ｐの平面度が高いということができる
。
【００４４】
また、一枚の用紙Ｐにはインクの付着量に分布のあることが、印刷データから予測され
る場合、インクの付着量の多い用紙の領域Ｐ１に対応する突出部ピッチＰＨＩが、インク
の付着量の少ない用紙の領域Ｐ２に対応する突出部ピッチＰＨＩよりも広くされる。これ
は、インクの付着量の多い用紙の領域Ｐ１では波打ち量Ｗが多くなりやすく、インクの付
着量の少ない用紙の領域Ｐ２では波打ち量Ｗが少なくなりやすいためである（図４（ｂ）
参照）。
【００４５】
そして、このように決定された突出部ピッチＰＨＩに応じて、各突出部３６が走査方向
Ｙにスライド移動される。その結果、インクの付着量の多い用紙の領域Ｐ１を支持する各
突出部３６の間隔ＰＨが、インクの付着量の少ない用紙の領域Ｐ２を支持する各突出部３
６の間隔ＰＨよりも広くなる。すると、各突出部３６の間隔ＰＨが、用紙の領域Ｐ２に対
応する突出部ピッチＰＨＩで一定である場合と比較して、用紙の領域Ｐ１では平面度が低
下しにくい。また、各突出部３６の間隔ＰＨが、用紙の領域Ｐ１で一定である場合と比較
して、用紙の領域Ｐ２では、用紙支持装置３０の支持面３２側に撓みにくい。
【００４６】
以上、上記実施形態によれば、以下のような効果を得ることができる。
（１）コックリングが発生しにくい用紙への印刷時には、突出部ピッチＰＨＩが狭くさ
れる。そして、走査方向Ｙにおいて互いに隣り合う各突出部３６の間隔ＰＨをこうした突
出部ピッチＰＨＩと等しくすることにより、用紙支持装置３０に支持される用紙の平面度
を高くすることができる。一方、コックリングが発生しやすい用紙への印刷時には、突出
部ピッチＰＨＩが広くされる。そして、各突出部３６の間隔ＰＨをこうした突出部ピッチ
ＰＨＩと等しくすることにより、用紙支持装置３０に支持される用紙の平面度の低下を抑
制することができる。したがって、各突出部３６の間隔ＰＨを適切に設定することにより
、用紙支持装置３０に支持される用紙の平面度の低下を抑制することができる。
【００４７】
（２）用紙へのインクの付着量が多いと、用紙の波打ち量Ｗが大きくなりやすい。そこ
で、本実施形態では、用紙へのインクの付着量が多いと予測される場合には、インクの付
着量が少ないと予測される場合と比較して、突出部ピッチＰＨＩが広くされる。そして、
各突出部３６の間隔ＰＨをこうした突出部ピッチＰＨＩと等しくすることにより、用紙支
持装置３０に支持される用紙の平面度の低下を抑制することができる。
【００４８】
（３）また、本実施形態では、インクの付着量の多い用紙の領域Ｐ１に対応する突出部
ピッチＰＨＩが、インクの付着量の少ない用紙の領域Ｐ２に対応する突出部ピッチＰＨＩ
よりも広くされる。そして、このように決定された突出部ピッチＰＨＩに応じて、各突出
部３６の走査方向Ｙにおける位置を調整することにより、インクの付着量が多く、波打ち
量Ｗが大きい用紙の領域を支持する各突出部３６の間隔ＰＨが、インクの付着量が少なく
、波打ち量Ｗが小さい用紙の領域を支持する各突出部３６の間隔ＰＨよりも広くされる。
したがって、一枚の用紙でインクの付着量に偏りがある場合であっても、各突出部３６の
間隔ＰＨを個別に調整することにより、用紙支持装置３０に支持される用紙の平面度の低
下を抑制することができる。
【００４９】
（４）また、用紙の幅方向における中央の波打ち量Ｗは、用紙の幅方向における外側の
波打ち量Ｗよりも大きくなりやすい。そこで、本実施形態では、用紙の幅方向における中
央の領域に対応する突出部ピッチＰＨＩが、用紙の幅方向における外側の領域に対応する
突出部ピッチＰＨＩよりも広くされる。そして、このように決定された突出部ピッチＰＨ
Ｉに応じて、各突出部３６の走査方向Ｙにおける位置を調整することにより、波打ち量Ｗ
が大きい用紙の領域を支持する各突出部３６の間隔ＰＨが、波打ち量Ｗが小さい用紙の領
域を支持する各突出部３６の間隔ＰＨよりも広くされる。したがって、各突出部３６の間
隔ＰＨを個別に調整することにより、用紙支持装置３０に支持される用紙の平面度の低下
を抑制することができる。
【００５０】
（５）本実施形態の印刷装置１１には、各突出部３６を走査方向Ｙにスライド移動させ
るためのアクチュエーター６０が設けられている。そのため、決定した突出部ピッチＰＨ
Ｉに基づいてアクチュエーター６０を駆動させることにより、各突出部３６の間隔ＰＨを
自動で調整することができる。
【００５１】
なお、上記実施形態は以下のように変更してもよい。
・突出部ピッチＰＨＩを決定した場合に、当該突出部ピッチＰＨＩをユーザーに報知し
、この突出部ピッチＰＨＩに基づいて、ユーザーに各突出部３６をスライド移動させるよ
うにしてもよい。この場合、ユーザーが各突出部３６の間隔ＰＨを突出部ピッチＰＨＩと
等しくさせることにより、上記（１）〜（４）と同等の効果を得ることができる。こうし
た構成では、表示装置などの報知装置に突出部ピッチＰＨＩを報知させる報知処理を実施
する制御装置７０により、「報知部」の一例が構成されることとなる。
【００５２】
また、このように突出部３６のスライド移動をユーザーに委ねる場合にあっては、アク
チュエーター６０を設けず、突出部３６を手動でスライド移動させるようにしてもよい。
・突出部ピッチＰＨＩを、用紙へのインクの付着量の予測結果によらず決定するように
してもよい。こうした構成であっても、用紙の種類に基づき予測されるコックリング周期
Ｔに応じた値に突出部ピッチＰＨＩを決定することにより、上記（１）と同等の効果を得
ることができる。
【００５３】
・用紙の幅方向における外側の領域に対応する突出部ピッチＰＨＩを、用紙の幅方向に
おける中央の領域に対応する突出部ピッチＰＨＩと等しくしてもよい。こうした構成であ
っても、用紙の種類に基づき予測されるコックリング周期Ｔに応じた値に突出部ピッチＰ
ＨＩを決定することにより、上記（１）と同等の効果を得ることができる。
【００５４】
・用紙支持装置３０に設けられる突出部３６のうち一部の突出部を、走査方向Ｙへのス
ライド移動が可能なスライド突出部３６Ａとし、残りの突出部を、走査方向Ｙへのスライ
ド移動が不能な非スライド突出部３６Ｂとしてもよい。図６（ａ），（ｂ）には、スライ
ド突出部３６Ａと非スライド突出部３６Ｂとが交互に配置される用紙支持装置３０の一例
が図示されている。この場合、図６（ａ）に示すように、スライド突出部３６Ａに非スラ
イド突出部３６Ｂを接触させることにより、実際の間隔ＰＨを広くすることができる。す
なわち、スライド突出部３６Ａと非スライド突出部３６Ｂとが接触している場合、この２
つの突出部３６Ａ，３６Ｂによって、１つの突出部が構成されることとなる。一方、図６
（ｂ）に示すように、２つのスライド突出部３６Ａの中間位置に非スライド突出部３６Ｂ
を配置させることにより、実際の間隔ＰＨを狭くすることができる。
【００５５】
・突出部の先端の走査方向Ｙにおける位置を変更することができるのであれば、突出部
の移動方式は、スライド移動方式以外の他の移動方式であってもよい。例えば、搬送方向
Ｘに延びる支軸に突出部を回転可能に支持させ、突出部の回転角を調整することにより、
突出部の先端の走査方向Ｙにおける位置を調整するようにしてもよい。こうした構成であ
っても、走査方向Ｙで互いに隣り合う各突出部の間隔を調整することができる。
【００５６】
・印刷装置は、上記のような用紙支持装置を備えるのであれば、シリアル方式のプリン
ターに限らず、ラインヘッド方式やラテラルスキャン方式などの他の方式のプリンターで
あってもよい。また、印刷装置は、ラインプリンターやページプリンターであってもよい
。
【００５７】
・印刷対象となる媒体は、単票紙であってもよいし、長尺状の用紙（例えば、ロール紙
）であってもよい。また、媒体は、インクの付着によってコックリングが生じるのであれ
ば、用紙以外の他の媒体であってもよい。
【符号の説明】
【００５８】
１１…印刷装置、３０…媒体支持装置の一例である用紙支持装置、３６，３６Ａ，３６
Ｂ…突出部、５３…印刷ヘッド、６０…アクチュエーター、７０…制御装置（特性取得部
、間隔決定部、付着量予測部、制御部、及び報知部の一例）、Ｐ…媒体の一例である用紙
、Ｐ１…インクの付着量の多い用紙の領域、Ｐ２…インクの付着量の少ない用紙の領域、
ＰＨ…各突出部の間隔、ＰＨＩ…突出部ピッチ。
【図１】
2016034730.tif 000003
【図２】
2016034730.tif 000004
【図３】
2016034730.tif 000005
【図４】
2016034730.tif 000006
【図５】
2016034730.tif 000007
【図６】
2016034730.tif 000008
【図７】
2016034730.tif 000009